(57)【特許請求の範囲】
【請求項１】
操作により文字列が入力されると表示部に表示し、前記表示部に表示されている文字列を複数から選択されたアプリケーションに入力する制御部を有し、
制御部は、前記アプリケーションのいずれかにおける禁則記号が操作により入力されると、当該いずれかのアプリケーションに規定された禁則記号が含まれる旨を通知するとともに、前記禁則記号に該当する文字列の表示を維持する、携帯電子機器。
【請求項２】
操作により文字列が入力されると、入力された文字列を表示部に表示するステップと、
アプリケーションのいずれかにおける禁則記号が操作により入力されると、当該いずれかのアプリケーションに規定された禁則記号が含まれる旨を通知するとともに、前記禁則記号に該当する文字列の表示を維持するステップと、
前記表示部に表示されている文字列を複数から選択されたアプリケーションに入力するステップと、
を有する、携帯電子機器の表示制御方法。
【発明の詳細な説明】
【技術分野】
【０００１】
本発明は、文字入力が可能な携帯電話機、ＰＤＡ等の携帯電子機器及び携帯電子機器の表示制御方法に関する。
【背景技術】
【０００２】
携帯電子機器は、各種の情報を表示する表示部と、文字列の入力を行うための操作部を備えている。ここで、携帯電子機器の例として携帯電話機では、表示部に初期画面（待ち受け画面）が表示されている状態で、操作部により文字列の入力を行い、入力された文字列に基づいて実行可能なアプリケーションの一覧を表示させ、選択されたアプリケーションを起動させるものがあった（例えば、特許文献１を参照）。
【先行技術文献】
【特許文献】
【０００３】
【特許文献１】特開２００７−２００２４３号公報
【発明の概要】
【発明が解決しようとする課題】
【０００４】
ここで、入力された文字列に基づいて実行可能なアプリケーションの一例として、電話番号により送信相手を特定し、短いメッセージによるメールの送受信機能を有するアプリケーション（以下、ＳＭＳ（Ｓｈｏｒｔ  Ｍｅｓｓａｇｅ  Ｓｅｒｖｉｃｅ）メールアプリケーションと言う。）があげられる。そして、ＳＭＳメールアプリケーションには送信可能な文字数（全角５０文字以上不可）や送信可能な文字コード（改行文字不可）についての制限事項が規定されていた。
【０００５】
しかし、上記従来技術においては、文字列を入力して、実行可能なアプリケーションの一覧からＳＭＳメールアプリケーションを選択した後でなければ、入力された文字列がＳＭＳメールアプリケーションに規定された制限事項に違反したか否かを認識することができず、操作が煩わしかった。また、ＳＭＳメールアプリケーションに限られず、他のアプリケーションにおいてもそれぞれ制限事項が規定されており、同様の問題が生じていた。
【０００６】
本発明はかかる課題を解決するために、所望のアプリケーションに規定された制限事項に違反したか否かについてユーザが容易に認識することが可能な携帯電子機器及び携帯電子機器の表示制御方法を提供することを目的とする。
【課題を解決するための手段】
【０００７】
本発明に係る携帯電子機器は、上記課題を解決するために、表示部と、制限事項が規定されるアプリケーションを含む複数のアプリケーションを起動する起動部と、文字列を入力すると共に、当該入力された文字列を複数の前記アプリケーションのうちいずれのアプリケーションに利用させるかを選択するための操作部と、前記操作部の操作により文字列の入力が行われ、当該入力された文字列が利用可能な複数の前記アプリケーションのうちいずれかのアプリケーションに規定された制限事項に違反する場合に、前記表示部に表示される文字列の表示を維持すると共に当該アプリケーションに規定された制限事項に違反する旨を通知する制御部と、を有することを特徴とする。
【０００８】
また、上記携帯電子機器では、前記表示部は、前記操作部により文字列の入力が行われる際に、制限事項が規定される前記アプリケーションに対応する情報を表示することが可能であり、前記制御部は、前記操作部の操作により文字列の入力が行われ、入力された文字列が利用可能な複数の前記アプリケーションのうちいずれかのアプリケーションに規定された制限事項に違反する場合に、当該アプリケーションに対応する情報を前記表示部に表示させてもよい。
【０００９】
また、上記携帯電子機器では、前記表示部は、前記操作部により文字列の入力が行われる際に、当該入力された文字列が利用可能な複数の前記アプリケーションに対応する情報をそれぞれ表示することが可能であり、前記制御部は、前記操作部の操作により文字列の入力が行われると、複数の前記アプリケーションに対応する情報がそれぞれ前記表示部に表示され、複数の前記アプリケーションのうちいずれかのアプリケーションに規定された制限事項に違反する場合に、当該アプリケーションに対応する情報を他のアプリケーションに対応する情報とは異なる態様で前記表示部に表示させてもよい。
【００１０】
また、上記携帯電子機器では、前記表示部は、前記操作部により文字列の入力が行われる際に、当該入力された文字列が利用可能な複数の前記アプリケーションに対応する情報をそれぞれ表示することが可能であり、前記制御部は、前記操作部の操作により文字列の入力が行われると、複数の前記アプリケーションに対応する情報がそれぞれ前記表示部に表示され、複数の前記アプリケーションのうちいずれかのアプリケーションに規定された制限事項に違反する場合に、当該アプリケーションに対応する情報の表示を解除してもよい。
【００１１】
また、上記携帯電子機器では、前記入力された文字列が利用可能な複数の前記アプリケーションのうちいずれかのアプリケーションに規定された制限事項に違反するとは、入力された文字列が当該アプリケーションにおいて実行できる情報量を超えることを含んでもよい。
【００１２】
また、上記携帯電子機器では、前記入力された文字列が利用可能な複数の前記アプリケーションのうちいずれかのアプリケーションに規定された制限事項に違反するとは、入力された文字列に当該アプリケーションにおいて実行できない禁則記号が含まれることを含んでもよい。
【００１３】
また、上記携帯電子機器では、前記制御部は、入力された文字列が利用可能な複数の前記アプリケーションのうちいずれかのアプリケーションにおいて実行できない禁則記号が含まれる場合に、当該アプリケーションに対応する情報を前記表示部に表示させるか、或いは、当該アプリケーションに対応する情報を他のアプリケーションに対応する情報とは異なる態様で前記表示部に表示させると共に、入力された文字列のうち前記禁則記号を他の文字とは異なる態様で前記表示部に表示させることを特徴とする請求項５に記載の携帯電子機器。
【００１４】
また、上記携帯電子機器では、前記制御部は、前記操作部の操作により入力された文字列のうち前記禁則記号が禁則記号とは異なる記号に変更された場合に、前記表示部に表示された制限事項に違反するアプリケーションに対応する情報の表示を解除するか、或いは、前記表示部に異なる態様で表示された制限事項に違反するアプリケーションに対応する情報の表示を他のアプリケーションと同一の態様の表示に戻してもよい。
【００１５】
本発明に係る携帯電子機器の表示制御方法は、制限事項が規定されるアプリケーションを含む複数のアプリケーションを起動するステップと、文字列を入力すると共に、当該入力された文字列ステップと、入力された文字列を複数の前記アプリケーションのうちいずれかのアプリケーションに利用させるステップと、文字列の入力を行うステップと、入力された文字列を複数の前記アプリケーションのうちいずれのアプリケーションに利用させるかを選択するステップと、入力された文字列が利用可能な複数の前記アプリケーションのうちいずれかのアプリケーションに規定された制限事項に違反する場合に、入力された文字列の表示を維持すると共に前記アプリケーションに規定された制限事項に違反する旨を通知するステップと、を有することを特徴とする。
【発明の効果】
【００１６】
本発明によれば、所望のアプリケーションに規定された制限事項に違反したか否かについてユーザが容易に認識することが可能となる。
【図面の簡単な説明】
【００１７】
【図１】図１は、本発明における携帯電子機器の一例である携帯電話機１の外観正面図である。
【図２】図２は、携帯電話機１の機能の概略構成を示す機能ブロック図である。
【図３】図３は、本発明に係る第１の実施形態における携帯電話機１の動作を説明するための説明図である。
【図４】図４は、本発明に係る第２の実施形態における携帯電話機１の動作を説明するための説明図である。
【図５】図５は、本発明に係る第３の実施形態における携帯電話機１の動作を説明するための説明図である。
【図６】図６は、本発明に係る第４の実施形態における携帯電話機１の動作を説明するための説明図である。
【図７】図７は、本発明に係る実施形態における携帯電話機１の処理動作を説明するためのフローチャートである。
【図８】図８は、各々のアプリケーションに規定される制限事項の一例を示す図である。
【図９】図９は、本発明に係る他の実施形態の一例を説明するためのイメージ図である。
【図１０】図１０は、本発明に係る他の実施形態の一例を説明するためのイメージ図である。
【発明を実施するための形態】
【００１８】
以下、図面を用いて本発明を実施するための最良の形態について説明する。
図１は、本発明に係る携帯電子機器の一例である携帯電話機１の外観正面図である。なお、図１は、操作部１１を有する操作部側筐体２と表示部１３を有する表示部側筐体３の２つの筐体からなるいわゆる折り畳み型の携帯電話機１の形態を示しているが、本発明に係る携帯電子機器の形態としては特にこれに限られない。例えば、操作部側筐体２と表示部側筐体３の両筐体を重ね合わせた状態から一方の筐体を一方向にスライドさせるようにしたスライド式や、重ね合わせ方向に沿う軸線を中心に一方の筐体を回転させるようにした回転式（ターンタイプ）や、操作部１１と表示部１３とが１つの筐体に配置され、連結部を有さない形式（ストレープタイプ、フリップタイプ）でも良い。
【００１９】
携帯電話機１は、操作部側筐体２と、表示部側筐体３とを備え、操作部側筐体２と表示部側筐体３とはヒンジ機構を備える連結部４を介して連結される。ユーザは連結部４を介して連結された操作部側筐体２と表示部側筐体３とを、相対的に動かすことにより操作部側筐体２と表示部側筐体３とを折り畳んだ状態（閉状態）にしたり、操作部側筐体２と表示部側筐体３とを互いに開いた状態（開状態）にしたりすることが可能となる。
【００２０】
操作部側筐体２は、操作部１１と、マイクロフォン１２（以下、マイク１２という。）と、を有する。
【００２１】
操作部１１は、数字、文字、英字、記号等を含む文字列を入力するための入力キー１１Ａと、電話帳アプリケーション、メールアプリケーション、Ｗｅｂアプリケーション等の各アプリケーションを実行させるためのアプリケーション実行キー１１Ｂと、各種操作における決定や上下左右方向のスクロール等を行わせるための決定操作キー１１Ｃと、を含んで構成される。各キーは起動しているアプリケーションの種類に応じて所定の機能が割り当てられており、ユーザが各キーを操作、すなわち押圧することにより、当該操作されたキーに割り当てられる機能に応じた動作が実行される。
【００２２】
ここで、入力キー１１Ａは、数字、文字、英字、記号の少なくともいずれかが割り当てられるキーを含む。例えば、起動可能な複数のアプリケーションのうち文字入力が可能なアプリケーションが起動され、表示部１３に文字入力を行うための文字入力画面が表示されている状態において、入力キー１１Ａのうちいずれかのキーが操作されると、操作されたキーに割り当てられる数字、文字、英字、記号のいずれかが入力される。ここで、表示部１３に文字入力を行うための文字入力画面が表示されている状態において、入力される文字種が文字となっていれば、操作されたキーに割り当てられる文字が入力され、数字となっていれば、操作されたキーに割り当てられる数字が入力され、英字、記号についても同様である。
【００２３】
また、通信の待ち受け状態であって所定のアプリケーションが起動していない状態、すなわち、表示部１３に初期画面が表示されている状態において、入力キー１１Ａのうちいずれかのキーが操作されると、操作されたキーに割り当てられる数字が入力され、入力された数字を用いて発信処理を行うことが可能となる。このように、表示部１３に初期画面が表示されている状態において、入力キー１１Ａのうちいずれかのキーが操作されたとしても、操作されたキーに割り当てられる文字、英字、記号は入力されない。しかし、本発明に係る実施形態においては、表示部１３に初期画面が表示されている状態において、入力キー１１Ａのうちいずれかのキーが操作されると、設定に応じて操作されたキーに割り当てられる文字、英字、記号が入力されることを可能とする。
【００２４】
更に、操作部１１の操作により入力された文字列を複数のアプリケーションのうちいずれのアプリケーションに利用させるか選択することが可能である。具体的には、操作部１１の操作により文字列の入力を行い、入力された文字列を利用可能な複数のアプリケーションを表示させた場合に、例えば、操作部１１の決定操作キーのスクロール操作等を介して、所望のアプリケーションの選択操作を行うことにより、所望のアプリケーションに入力された文字列を利用することが可能となる。
【００２５】
マイク１２は、ユーザが通話時に発した音声が入力されるマイクの機能を有する。
【００２６】
なお、操作部側筐体２の側面には外部機器（例えば、ホスト装置）と通信を行うためのインターフェースと、所定の機能が割り当てられているサイドキーと、外部メモリの挿入及び取り出しが行われるインターフェースとが、設けられている（図示せず）。
【００２７】
表示部側筐体３は表示部１３とスピーカ１４とを有する。
【００２８】
表示部１３は、各種情報を表示するためのものであり、ＬＣＤ（Ｌｉｑｕｉｄ  Ｃｒｙｓｔａｌ  Ｄｉｓｐｌａｙ）やＯＬＥＤ（Ｏｒｇａｎｉｃ  Ｌｉｇｈｔ  Ｅｍｉｔｔｉｎｇ  Ｄｉｏｄｅ）が採用される。表示部１３には、通信の待受け状態であって所定のアプリケーションが起動していない状態には初期画面（待ち受け画面ともいう。）が表示され、所定のアプリケーションが起動している場合には、当該アプリケーションの動作に基づく画面が表示される。例えば、通信の待ち受け状態においては、予め設定されている初期画面が表示され、メールアプリケーションやメモ帳アプリケーション等の文字入力が可能なアプリケーションが起動している状態において、文字入力を行う場合には表示部１３に文字入力を行うための文字入力画面が表示される。
【００２９】
スピーカ１４は、通話時の相手側の音声を出力するレシーバの機能を有する。
【００３０】
図２は、携帯電話機１の機能の概略構成を示す機能ブロック図である。携帯電話機１は、図２に示すように、操作部１１（入力キー１１Ａ、アプリケーション実行キー１１Ｂ、決定操作キー１１Ｃを含む。）と、マイク１２と、表示部１３と、スピーカ１４とが備えられ、内部には制御部２１と、ＬＣＤ制御部２２と、起動部２３と、メインアンテナ３１と、ＲＦ回路部３２と、音声処理部３３と、記憶部３４と、を備えている。
【００３１】
制御部２１は、携帯電話機１の全体を制御しており、中央処理装置（ＣＰＵ）等を用いて構成される。そして、ＬＣＤ制御部２２、起動部２３、音声処理部３３、記憶部３４に対して所定の制御を行う。制御部２１の具体的な処理については後述する。
【００３２】
ＬＣＤ制御部２２は、制御部２１の制御に従って、所定の画像処理を行い、処理後の画像データを不図示のドライバＩＣに出力する。ドライバＩＣは、ＬＣＤ制御部２２から供給された画像データを不図示のフレームメモリに蓄え、所定のタイミングで表示部１３に出力する。
【００３３】
起動部２３は、制御部２１の制御に従って、制限事項が規定されたアプリケーションを含む複数のアプリケーションを起動する。複数のアプリケーションの一例として、電話帳を閲覧するための電話帳アプリケーション、Ｅメールの閲覧、作成、送信等を行うためのＥメールアプリケーション、Ｃメールの閲覧、作成、送信等を行うためのＳＭＳメールアプリケーション、Ｗｅｂを閲覧するためのＷｅｂアプリケーション等が挙げられる。
【００３４】
また、アプリケーションに規定された制限事項の一例として、図７に示すように、それぞれのアプリケーションにおいて実行可能な文字数の制限や文字コードの制限が挙げられる。例えば、図７（a）に示すようにＳＭＳメールアプリケーションにおけるＣメールの送信については、文字数として全角５０文字しか送信することができない。また、文字コードとして改行記号を送信することができない。一方、図７（c）に示すようにアドレス帳アプリケーションにおける読み仮名の登録については、文字数として全角３２文字以上を登録することができない。また、文字コードとして全角漢字、ひらがな、カタカナ等を登録することができない。このように、各々のアプリケーションに応じてそれぞれ異なる制限事項が規定されている。また、複数のアプリケーションのうち制限事項が規定されないアプリケーションがあっても良い。
【００３５】
ここで、制限事項として、ＳＭＳメールアプリケーションにおいて送信可能な文字数を例に挙げたが、送信可能な文字数に達する前の文字数を制限事項としてもよい。すなわち、ＳＭＳメールアプリケーションにおいて送信可能な文字数は全角５０文字であるが、ユーザとしては入力された文字列が全角５０文字に達するより前に、規定された制限事項に違反する旨を認識したい場合が多い。かかる場合に、全角５０文字ではなく、全角４０文字をＳＭＳメールアプリケーションに規定された制限事項としても良い。もちろん、全角４０文字でなくともＳＭＳメールアプリケーションにおいて送信可能な文字数に達する前の文字数であればいずれでも良い。
【００３６】
メインアンテナ３１は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド構成である。なお、本発明に係る実施形態においては、第１の使用周波数帯として、８００ＭＨｚとしているが、これ以外の周波数帯であっても良い。また、メインアンテナ３１は第１の使用周波数帯で外部装置と通信を行い、ＧＰＳ通信のための第２の使用周波数帯に対応できるアンテナを別途設けても良い。
【００３７】
ＲＦ回路部３２は、メインアンテナ３１によって受信した信号を復調処理し、処理後の信号を制御部２１に供給する。そして、制御部２１から供給された信号を復調処理し、メインアンテナ３１を介して外部装置（基地局）に送信する。また、その一方で、メインアンテナ３１によって受信している信号の強度を制御部２１に通知する。
【００３８】
音声処理部３３は、制御部２１の制御に従って、ＲＦ回路部３２から供給された信号に対して所定の音声処理を行い、処理後の信号をスピーカ１４に出力する。スピーカ１４は、音声処理部３３から供給された信号を外部に出力する。
【００３９】
また、音声処理部３３は、制御部２１の制御に従って、マイク１２から入力された信号を処理し、処理後の信号をＲＦ回路部３２に出力する。ＲＦ回路部３２は、音声処理部３３から供給された信号に所定の処理を行い、処理後の信号をメインアンテナ３１に供給し、メインアンテナ３１により電波として外部に出力させる。
【００４０】
記憶部３４は、例えば、ワーキングメモリを含み、制御部２１による演算処理に利用される。また、記憶部３４には、携帯電話機１上で動作する複数のアプリケーションが利用するデータやテーブル等が記憶されている。なお、記憶部３４は、着脱可能な外部メモリであってもよい。
【００４１】
ところで、操作部１１の操作により文字列の入力を行い、入力された文字列に基づいて所望のアプリケーションを起動させる場合に、入力された文字列が当該所望のアプリケーションに規定された制限事項に違反している場合（例えば、入力された文字列が起動させようと考えているＳＭＳメールアプリケーションにおいて送信可能な文字数としての全角５０文字を超えていた場合）に、ユーザは当該所望のアプリケーションを選択してはじめてポップアップによる警告等によりかかる制限事項に違反していることを認識することが可能となる。すなわち、ユーザが所望のアプリケーションに規定される制限事項に違反しているか否かを認識するためには、文字列を入力して当該所望のアプリケーションを選択するという操作が必要となり、煩わしいという問題が生じていた。
【００４２】
そこで、上記のような問題点を解決すべく、本実施形態に係る制御部２１は、操作部１１の操作により文字列の入力が行われ、当該入力された文字列が利用可能な複数のアプリケーションのうちいずれかのアプリケーションに規定された制限事項に違反する場合に、表示部１３に表示される文字列の表示を維持すると共に当該アプリケーションに規定された制限事項に違反する旨を通知する。
【００４３】
すなわち、ユーザが利用可能な複数のアプリケーションのうち所望のアプリケーションとしてＳＭＳメールアプリケーションを起動させようと考えており、そのために文字列の入力を行っている際に、入力された文字列がＳＭＳメールアプリケーションにおいて送信可能な全角５０文字を超えてしまった場合に、表示部１３において当該文字列の表示をそのまま維持すると共に、ＳＭＳメールアプリケーションに規定される制限事項に違反する旨を通知する。ここで、ＳＭＳメールアプリケーションに規定される制限事項に違反する旨の通知とは、例えば、アイコン等により警告表示を行うことが挙げられる。すなわち、ユーザは文字列を入力した後にＳＭＳメールアプリケーションを選択することなく、文字列の入力を行っている際に、直ちにＳＭＳメールアプリケーションに規定される制限事項に違反する旨を認識することができる。このようにして、ユーザは所望のアプリケーションに規定された制限事項に違反したか否かについて容易に認識することが可能となる。
【００４４】
はじめに、図３を用いて本発明に係る第１の実施形態について説明する。本実施形態における特徴は、（１）表示部１３と、（２）文字列を入力するための操作部１１と、（３）制限事項が規定されるアプリケーションを含む複数のアプリケーションを起動する起動部２３と、（４）前記操作部１１の操作により文字列の入力が行われ、入力された文字列が利用可能な複数の前記アプリケーションのうちいずれかのアプリケーションに規定された制限事項に違反する場合に、当該アプリケーションに対応する情報を前記表示部１３に表示させる制御部２１と、を備えることにある。
【００４５】
本発明に係る第１の実施形態について図３を用いて具体的に説明する。まず、前提として本実施形態においては、ＳＭＳアプリケーションにおいて送信可能な文字数を全角５０文字とし、全角５０文字をＳＭＳアプリケーションに規定された制限事項とする。はじめに、図３（a）に示すように、表示部１３に、例えば、初期画面が表示された状態で、前記操作部１１の入力キー１１Ａのうちいずれかのキーが操作されると、操作されたキーに割り当てられる文字が表示部１３に表示される（図３（b）参照）。図３（b）に示すように、本実施形態においては、「か」が割り当てられるキーを５回、「わ」が割り当てられるキーを３回、「な」が割り当てられるキーを２回、「た」が割り当てられるキーを２回、「は」が割り当てられるキーを１回、「わ」が割り当てられるキーを５回操作することにより、「こんにちは。」という文字列が入力され、表示部１３に表示されている。そして、このまま操作部１１による文字列の入力を続けていき、入力された文字列の文字数が全角５０文字を超えた場合には、ＳＭＳメールアプリケーションにおいて送信できる制限文字数を超えた、すなわち、入力された文字列がＳＭＳメールアプリケーションに規定された制限事項に違反したとして、ＳＭＳメールアプリケーションに対応する情報が図３（c）に示すように、アイコン「Ｃ」（Ｃメールの略である。）として前記表示部１３のアイコン表示領域１００に表示される。このようにして、ユーザは所望のアプリケーションに規定された制限事項に違反したか否かについて容易に認識することが可能となる。
【００４６】
本実施形態において、ＳＭＳメールアプリケーションに対応する情報をアイコンとして警告表示しているが、これに限られず、文字列等によってＳＭＳメールアプリケーションに対応する情報を表示しても良い。また、本実施形態において、ＳＭＳメールアプリケーションを例に挙げているが、これに限られず、アドレス帳アプリケーションやＥメールアプリケーションであっても良い。また、本実施形態において、ＳＭＳメールアプリケーションにおいて送信可能な文字数を制限事項として例に挙げているが、これに限られず、送信可能な文字数に達する前の文字数を制限事項としても良い。
【００４７】
また、本実施形態において、ＳＭＳメールアプリケーションにおいて送信可能な文字数を例に挙げているが、これに限られず、送信できない文字コード入力に対してであっても良い。送信できない文字コードとして、例えば、図７（a）に示すように改行記号が挙げられる。すなわち、前記操作部１１の操作により改行記号が入力されると、ＳＭＳメールアプリケーションにおいて送信できない制限文字に該当する、すなわち、ＳＭＳメールアプリケーションに規定された制限事項に違反したとして、ＳＭＳメールアプリケーションに対応する情報が前記表示部１３に表示されることとしても良い。
【００４８】
次に、図４を用いて本発明に係る第２の実施形態について説明する。本実施形態における特徴は、（１）表示部１３と、（２）文字列を入力するための操作部１１と、（３）制限事項が規定されるアプリケーションを含む複数のアプリケーションを起動する起動部２３と、（４）前記操作部１１の操作により文字列の入力が行われると、複数の前記アプリケーションに対応する情報がそれぞれ前記表示部１３に表示され、入力された文字列が利用可能な前記アプリケーションのうちいずれかのアプリケーションに規定された制限事項に違反する場合に、当該アプリケーションに対応する情報を他のアプリケーションに対応する情報とは異なる態様で前記表示部１３に表示させる制御部２１と、を備えることにある。
【００４９】
本発明に係る第２の実施形態について図４を用いて具体的に説明する。まず、前提として本実施形態においては、ＳＭＳアプリケーションにおいて送信できない文字コードを改行記号とし、改行記号をＳＭＳアプリケーションに規定された制限事項とする。はじめに、図４（a）に示すように、例えば、表示部１３に初期画面が表示された状態で、前記操作部１１の入力キー１１Ａのうちいずれかのキーが操作されると、操作されたキーに割り当てられる文字が表示部１３に表示されると共に、複数のアプリケーションに対応する情報が前記表示部１３に表示される（図４（b）参照）。図４（b）に示すように、本実施形態においては、「か」が割り当てられるキーを５回、「わ」が割り当てられるキーを３回、「な」が割り当てられるキーを２回、「た」が割り当てられるキーを２回、「は」が割り当てられるキーを１回、「わ」が割り当てられるキーを５回操作することにより、「こんにちは。」という文字列が入力され、表示部１３に表示されている。また、表示部１３のアイコン表示領域１００には、Ｃメール（ＳＭＳメールアプリケーション）の略として「Ｃ」のアイコンが、Ｅメール（Ｅメールアプリケーション）の略として「Ｅ」のアイコンが、アドレス帳（アドレス帳アプリケーション）の略として「ア」のアイコンがＷｅｂ（Ｗｅｂアプリケーション）の略として「Ｗ」のアイコンがそれぞれ表示される。そして、操作部１１の操作により改行記号が入力された場合に（図４（c）において「こんにちは。」の後に表示されている記号）、図４（c）に示すように、ＳＭＳメールアプリケーションにおいて送信できない制限文字コードである、すなわち、ＳＭＳメールアプリケーションに規定される制限事項に違反したとして、ＳＭＳメールアプリケーションに対応する情報が他のアプリケーションに対応する情報とは異なる態様で前記表示部１３に表示される（図４（c）で示すように、「Ｃ」のアイコンは他のアイコンと比べて背景色及び枠線が異なる）。このようにして、ユーザは所望のアプリケーションに規定された制限事項に違反したか否かについて容易に認識することが可能となる。
【００５０】
ここで、表示部１３に初期画面が表示された状態で、操作部１１のいずれかのキーが操作されると、操作されたキーに割り当てられる文字と共に表示される複数のアプリケーションに対応する情報の複数のアプリケーションとして文字入力が可能な全てのアプリケーションに対応する情報を表示させても良いし、使用頻度に応じて使用頻度の高いアプリケーションに対応する情報のみを表示させても良い。また、ユーザの設定に応じて設定されたアプリケーションに対応する情報のみを表示させても良い。さらに、制限事項が規定されるアプリケーションに対応する情報のみを表示させても良い。
【００５１】
本実施形態において、制限事項が規定されたアプリケーションを含む複数のアプリケーションに対応する情報をアイコンにより表示しているが、これに限られず、文字列等によって複数のアプリケーションに対応する情報を表示しても良い。また、本実施形態において、ＳＭＳメールアプリケーションを例に挙げているが、これに限られず、アドレス帳アプリケーションやＥメールアプリケーションであっても良い。また、本実施形態において、他のアプリケーションに対応する情報と異なる態様による表示として、アイコンの背景色及び枠線を異ならせているが、これに限られず、点滅表示や回転表示、消灯表示を行うことにより異なる態様で表示させることが挙げられる。
【００５２】
また、本実施形態において、ＳＭＳメールアプリケーションにおいて送信できない文字コードを例に挙げているが、これに限られず、送信可能な文字数であっても良い。送信可能な文字数は、例えば、全角５０文字である。すなわち、前記操作部１１の操作により全角５０文字以上の文字列が入力されると、ＳＭＳメールアプリケーションに規定された制限文字数を超えた、すなわち、ＳＭＳメールアプリケーションに規定される制限事項に違反したとして、ＳＭＳメールアプリケーションに対応する情報が他のアプリケーションに対応する情報とは異なる態様で前記表示部１３に表示されることとしても良い。
【００５３】
次に、図５を用いて本発明に係る第３の実施形態について説明する。本実施形態における特徴は、（１）表示部１３と、（２）文字列を入力するための操作部１１と、（３）制限事項が規定されるアプリケーションを含む複数のアプリケーションを起動する起動部２３と、（４）前記操作部１１の操作により文字列の入力が行われると、複数の前記アプリケーションに対応する情報がそれぞれ前記表示部１３に表示され、入力された文字列が利用可能な前記アプリケーションのうちいずれかのアプリケーションに規定された制限事項に違反する場合に、当該アプリケーションに対応する情報の表示を解除する制御部２１と、を備えることにある。
【００５４】
本発明に係る第３の実施形態について図５を用いて具体的に説明する。まず、前提として本実施形態においては、ＳＭＳアプリケーションにおいて送信できない文字コードを改行記号とし、改行記号をＳＭＳアプリケーションに規定された制限事項とする。はじめに、図５（a）に示すように、例えば、表示部１３に初期画面が表示された状態で、前記操作部１１の入力キー１１Ａのうちいずれかのキーが操作されると、操作されたキーに割り当てられる文字が表示部１３に表示されると共に、複数のアプリケーションに対応する情報が前記表示部１３に表示される（図５（b）参照）。図５（b）に示すように、本実施形態においては、「か」が割り当てられるキーを５回、「わ」が割り当てられるキーを３回、「な」が割り当てられるキーを２回、「た」が割り当てられるキーを２回、「は」が割り当てられるキーを１回、「わ」が割り当てられるキーを５回操作することにより、「こんにちは。」という文字列が入力され、表示部１３に表示されている。また、表示部１３のアイコン表示領域１００には、Ｃメール（ＳＭＳメールアプリケーション）の略として「Ｃ」のアイコンが、Ｅメール（Ｅメールアプリケーション）の略として「Ｅ」のアイコンが、アドレス帳（アドレス帳アプリケーション）の略として「ア」のアイコンがＷｅｂ（Ｗｅｂアプリケーション）の略として「Ｗ」のアイコンがそれぞれ表示される。そして、操作部１１の操作により改行記号が入力された場合に（図５（c）において「こんにちは。」の後に表示されている記号）、図５（c）に示すように、ＳＭＳメールアプリケーションにおいて送信できない制限文字コードである、すなわち、ＳＭＳメールアプリケーションに規定される制限事項に違反したとして、ＳＭＳメールアプリケーションに対応する情報の表示が解除される。このようにして、ユーザは所望のアプリケーションに規定された制限事項に違反したか否かについて容易に認識することが可能となる。
【００５５】
ここで、表示部１３に初期画面が表示された状態で、操作部１１のいずれかのキーが操作されると、操作されたキーに割り当てられる文字と共に表示される複数のアプリケーションに対応する情報の複数のアプリケーションとして文字入力が可能な全てのアプリケーションに対応する情報を表示させても良いし、使用頻度に応じて使用頻度の高いアプリケーションに対応する情報のみを表示させても良い。また、ユーザの設定に応じて設定されたアプリケーションに対応する情報のみを表示させても良い。さらに、制限事項が規定されるアプリケーションに対応する情報のみを表示させても良い。
【００５６】
本実施形態において、制限事項が規定されたアプリケーションを含む複数のアプリケーションに対応する情報をアイコンにより表示しているが、これに限られず、文字列等によって複数のアプリケーションに対応する情報を表示しても良い。また、本実施形態において、ＳＭＳメールアプリケーションを例に挙げているが、これに限られず、アドレス帳アプリケーションやＥメールアプリケーションであっても良い。
【００５７】
また、本実施形態において、ＳＭＳメールアプリケーションにおいて送信できない文字コードを例に挙げているが、これに限られず、送信可能な文字数であっても良い。送信可能な文字数は、例えば、全角５０文字である。すなわち、前記操作部１１の操作により全角５０文字以上の文字列が入力されると、ＳＭＳメールアプリケーションに規定された制限文字数を超えた、すなわち、ＳＭＳメールアプリケーションに規定される制限事項に違反したとして、ＳＭＳメールアプリケーションに対応する情報の表示が解除されてもよい。
【００５８】
次に、図６を用いて本発明に係る第４の実施形態について説明する。本実施形態における特徴は、（１）表示部１３と、（２）文字列を入力するための操作部１１と、（３）制限事項が規定されるアプリケーションを含む複数のアプリケーションを起動する起動部２３と、（４）前記操作部１１の操作により文字列の入力が行われると、当該アプリケーションに対応する情報を前記表示部１３に表示させる、又は当該アプリケーションに対応する情報を他のアプリケーションに対応する情報とは異なる態様で前記表示部１３に表示させると共に、入力された文字列のうち禁則記号を他の文字とは異なる態様で前記表示部１３に表示させる制御部２１と、を備えることにある。
【００５９】
本発明に係る第４の実施形態として、図６を用いて具体的に説明する。まず、前提として本実施形態においては、ＳＭＳアプリケーションにおいて送信できない文字コードを改行記号とし、改行記号をＳＭＳアプリケーションに規定された制限文字とする。はじめに、図６（a）に示すように、表示部１３に初期画面が表示された状態で、前記操作部１１の入力キー１１Ａのうちいずれかのキーが操作されると、操作されたキーに割り当てられる文字が表示部１３に表示される（図６（b）参照）。図６（b）に示すように、本実施形態においては、「か」が割り当てられるキーを５回、「わ」が割り当てられるキーを３回、「な」が割り当てられるキーを２回、「た」が割り当てられるキーを２回、「は」が割り当てられるキーを１回、「わ」が割り当てられるキーを５回操作することにより、「こんにちは。」という文字列が入力され、表示部１３に表示されている。そして、操作部１１の操作により改行記号が入力された場合に（図６（c）に示すように、「こんにちは。」の後に表示されている記号）、ＳＭＳメールアプリケーションおいて送信できない制限文字である、すなわち、ＳＭＳメールアプリケーションに規定される制限事項に違反したとして、図５（c）に示すように、ＳＭＳメールアプリケーションに対応する情報を前記表示部１３のアイコン表示領域１００に表示させると共に、入力された文字列のうち禁則記号を他の文字とは異なる態様で表示部１３に表示させる（図６（c）に示すように、改行記号は他の文字列と比べて背景色及び枠線が異なる）。このようにして、ユーザは入力された文字列のうちどの文字がアプリケーションに規定された制限事項に違反している禁則文字かを容易に認識することが可能となる。
【００６０】
入力された文字列のうち禁則記号を他の文字とは異なる態様で表示部１３に表示させるとは、本実施形態においては、記号の背景色及び枠線を異ならせて表示させているが、これに限られず、字体を異ならせた表示、点滅表示、回転表示、消灯表示等により異なる態様で表示させてもよい。
【００６１】
また、図６（c）に示すように、ＳＭＳメールアプリケーションに対応する情報を前記表示部１３に表示させると共に、入力された文字列のうち禁則記号を他の文字とは異なる態様で表示部１３に表示させた場合に、操作部１１の操作により当該禁則記号を禁則記号とは異なる記号に変更した場合に、ＳＭＳメールアプリケーションに対応する情報の表示を解除しても良い。このようにして、ユーザは所望のアプリケーションに規定された制限事項に違反している状態が解除されたことを容易に認識することが可能となる。
【００６２】
ここで、本実施形態においては、操作部１１の操作により禁則記号が入力されると、ＳＭＳメールアプリケーションに対応する情報を前記表示部１３に表示させると共に、入力された文字列のうち禁則記号を他の文字とは異なる態様で表示部１３のアイコン表示領域１０に表示させているが、これに限られず、操作部１１の操作により禁則記号が入力されるとＳＭＳメールアプリケーションに対応する情報を表示部１３に表示される他のアプリケーションとは異なる態様で表示部１３のアイコン表示領域１００に表示させても良い。かかる場合に、操作部１１の操作により当該禁則記号を禁則記号とは異なる記号に変更した場合に、ＳＭＳメールアプリケーションに対応する情報の表示を他のアプリケーションに対応する情報の表示と異なる態様から同一の態様の表示に戻しても良い。
【００６３】
次に、本発明に係る実施形態における携帯電話機１の処理動作について図７のフローチャートを用いて説明する。本フローチャートは、表示部１３に初期画面が表示されている状態から始まる。表示部１３に初期画面が表示されている状態において、ユーザが操作部１１の入力キー１１Ａのいずれかのキーを操作すると、操作されたキーに割り当てられる文字が表示部１３に表示される（ステップＳ１１）。そして、続けて操作部１１による操作が行われ、文字列が入力された場合に、入力された文字列に所定のアプリケーションにおいて実行できない制限文字としての禁則記号が含まれる、すなわち、所定のアプリケーションに規定される制限事項に違反していると（ステップＳ１２：Ｙｅｓ）、所定のアプリケーションに対応する情報が表示される（ステップＳ１３）。また、入力された文字列に所定のアプリケーションおいて実行できない制限文字としての禁則記号が含まれない、すなわち、所定のアプリケーションに規定される制限事項に違反していない場合には（ステップＳ１２：Ｎｏ）、所定のアプリケーションに対応する情報は表示されない。
【００６４】
次に、入力された文字列のうち所定のアプリケーションに規定される制限事項に違反している禁則記号を他の文字とは異なる態様で表示部１３に表示させる（ステップＳ１４）。そして、操作部１１の操作により当該禁則記号を禁則記号とは異なる記号に変更した場合に（ステップＳ１５：Ｙｅｓ）、表示部１３に表示された所定のアプリケーションに対応する情報の表示を解除する（ステップＳ１６）。また、操作部１１の操作により前記禁則記号を変更することなく、そのまま入力させている場合は（ステップＳ１５：Ｎｏ）、表示部１３に表示される所定のアプリケーションに対応する情報の表示はそのまま維持される。
【００６５】
以上により、本フローチャートは終了する。
【００６６】
なお、上述の実施形態においては、所定のアプリケーションに規定される制限事項に違反する旨の通知の例として表示部１３への警告表示を例に挙げて説明したが、これに限られず、音による通知や、振動による通知であっても良い。具体的には、音による通知の場合は、アプリケーション毎にそれぞれ異なる通知音を対応付けておき、入力された文字列が所定のアプリケーションに規定される制限事項に違反する場合に、当該アプリケーションに対応付けられる音を鳴動させることにより、所定のアプリケーションに規定される制限事項に違反する旨をユーザに通知する。また、振動による通知の場合は、アプリケーション毎にそれぞれ異なる振動リズムを対応付けておき、入力された文字列が所定のアプリケーションに規定される制限事項に違反する場合に、当該アプリケーションに対応付けられる振動リズムで鳴動させることにより、所定のアプリケーションに規定される制限事項に違反する旨をユーザに通知する。
【００６７】
また、所定のアプリケーションに規定される制限事項に違反する旨の通知の他の例として、図９に示すように、表示部１３のアイコン表示領域１００に複数のアプリケーションに対応する情報を表示させておき、当該情報と共に制限事項である制限文字数に達するまでに残りの入力可能な文字数を表示させ、文字列が入力されるとこれに対応して残りの入力可能な文字数の表示を変更させてもよい。また、図１０に示すように、文字列が入力された文字列入力領域２００に各々のアプリケーションにおいて制限事項である制限文字数に対応する警告を直接表示させてもよい。
【００６８】
また、上述の実施形態においては、入力された文字列に所定のアプリケーションにおいて実行できない制限文字としての禁則文字が含まれる場合に、当該禁則文字を他の文字とは異なる態様で表示させることとしていたが、これに限られず、入力された文字列が所定のアプリケーションにおいて実行できる制限文字数を超えた場合に、制限文字数を超えた文字列を超えてない文字列と異なる態様で表示させてもよい。これにより、ユーザが制限文字数をどのくらい超えているかを容易に認識することが可能となる。
【００６９】
また、入力された文字列が所定のアプリケーションにおいて実行できる制限文字数を超えた場合に、所定のアプリケーションに対応する情報を表示部１３のアイコン表示領域１００に表示させるか、或いは、所定のアプリケーションに対応する情報を他のアプリケーションに対応する表示とは異なる態様で表示させることとしているが、操作部１１の操作により制限文字数を超えた文字列の削除等を行うことにより、制限文字数を超えない状態に変更させた場合に、表示部１３のアイコン表示領域１００に表示された所定のアプリケーションに対応する情報の表示を解除するか、或いは、所定のアプリケーションに対応する情報を他のアプリケーションに対応する情報の表示と同一の態様の表示に戻してもよい。これにより、ユーザは所定のアプリケーションに規定された制限事項に違反している状態が解除されたことを容易に認識することが可能となる。
【００７０】
これまで、一実施形態としての携帯電話機等を説明したが、上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。特に、以下に述べる実施形態であっても、本発明に含まれるものである。
【００７１】
また、上述の実施形態において、携帯電話機を例に用いて説明したが、本発明はこれに限定されるものではない。例えば、ＰＨＳ（登録商標：Ｐｅｒｓｏｎａｌ  Ｈａｎｄｙ  ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）の他、パーソナルコンピュータやゲーム機等、様々な携帯電子機器に適用可能である。
【符号の説明】
【００７２】
１  携帯電話機
２  操作部側筐体
３  表示部側筐体
４  連結部
１１  操作部
１１Ａ  入力キー
１１Ｂ  アプリケーション実行キー
１１Ｃ  決定操作キー
１２  マイク
１３  表示部
１４  スピーカ
２１  制御部
２２  ＬＣＤ制御部
２３  起動部
３１  メインアンテナ
３２  ＲＦ回路部
３３  音声処理部
３４  記憶部
１００  アイコン表示領域
２００  文字列入力領域
【図１】
0005473657.tif 000002
【図２】
0005473657.tif 000003
【図３】
0005473657.tif 000004
【図４】
0005473657.tif 000005
【図５】
0005473657.tif 000006
【図６】
0005473657.tif 000007
【図７】
0005473657.tif 000008
【図８】
0005473657.tif 000009
【図９】
0005473657.tif 000010
【図１０】
0005473657.tif 000011